(57)【要約】【課題】撮像素子の取付板の変形を防止した撮像素子取付ユニットを提供する。【解決手段】  撮像素子が取り付けられる取付板と、前記取付板と対向する互いの面が離隔した状態で配置された回路基板と、前記取付板と前記回路基板の少なくとも一方に設けられ、前記取付板と前記回路基板の他方と対向する面からその対向する面と反対側の面へと貫通する貫通孔と、前記取付板を接地するために、前記取付板と前記回路基板とを前記貫通孔を介して接続する接地用部品とを有し、前記接地用部品は、前記貫通孔の内壁に対して相対移動自在であることを特徴とする撮像素子取付ユニット。【選択図】図３
2009194746.tif 000002
【特許請求の範囲】
【請求項１】
撮像素子が取り付けられる取付板と、
前記取付板と対向する互いの面が離隔した状態で配置された回路基板と、
前記取付板と前記回路基板の少なくとも一方に設けられ、前記取付板と前記回路基板の他方と対向する面からその対向する面と反対側の面へと貫通する貫通孔と、
前記取付板を接地するために、前記取付板と前記回路基板とを前記貫通孔を介して接続する接地用部品とを有し、
前記接地用部品は、前記貫通孔の内壁に対して相対移動自在であることを特徴とする撮像素子取付ユニット。
【請求項２】
請求項１に記載された撮像素子取付ユニットであって、
前記接地用部品には、前記取付板に接続された部分と、前記回路基板に接続された部分との間に、前記接地用部品の他の部分よりも容易に変形する変形容易部が形成されていることを特徴とする撮像素子取付ユニット。
【請求項３】
請求項２に記載された撮像素子取付ユニットであって、
前記変形容易部は、前記他方と対向する面と略垂直方向に変形することを特徴とする撮像素子取付ユニット。
【請求項４】
請求項１から３のいずれか１項に記載された撮像素子取付ユニットであって、
前記接地用部品は、前記貫通孔以外の位置で、前記回路基板に対して電気的に接続されていることを特徴とする撮像素子取付ユニット。
【請求項５】
請求項１から４のいずれか１項に記載された撮像素子取付ユニットであって、
前記貫通孔は前記回路基板に設けられていることを特徴とする撮像素子取付ユニット。
【請求項６】
請求項２または３に記載の撮像素子取付ユニットであって、
前記変形容易部はコイル形状であることを特徴とする撮像素子取付ユニット。
【請求項７】
請求項２または３に記載の撮像素子取付ユニットであって、
前記変形容易部は蛇腹形状であることを特徴とする撮像素子取付ユニット。
【請求項８】
請求項１から７のいずれか１項に記載の撮像素子取付ユニットであって、
前記回路基板は、前記撮像素子を駆動することを特徴とする撮像素子取付ユニット。
【請求項９】
請求項１から８のいずれかに記載の撮像素子取付ユニットと、
前記撮像素子取付ユニットに取り付けられた撮像素子とを有するカメラ。
【発明の詳細な説明】
【技術分野】
【０００１】
本発明は、撮像素子取付ユニットおよびカメラに関し、より詳細には、撮像素子の取付板の変形を防止した撮像素子取付ユニットおよび当該撮像素子取付ユニットを搭載するカメラに関する。
【背景技術】
【０００２】
撮像素子を駆動するための回路基板は、信号ノイズを抑えるために十分な接地策を施す必要がある。そのため、回路基板の周辺に設けられた金属製の撮像素子取付板や電磁波シールドシート等の導電部材を、回路基板の接地電極に電気的に接続し、これらを接地する技術が知られている（特許文献１参照）。
【０００３】
しかし、従来技術では、回路基板と当該回路基板の周辺に設けられた導電部材との電気的な接続を確保するための接地用部品として、ねじ止め用のビスや、ピン端子状の接地用部品を用いていた。そのため、回路基板のソリ等よって導電部材が変形するという問題が発生していた。特に、回路基板を、撮像素子を取り付ける取付板に対して接続する場合には、当該取付板の変形によって撮像素子の撮像面の位置精度が悪化し、撮像装置の結像性能に悪影響を与えるという問題が発生していた。
【特許文献１】特開２００３−２７３５６２号公報
【発明の開示】
【発明が解決しようとする課題】
【０００４】
本発明は、このような実情に鑑みてなされ、その目的は、撮像素子の取付板の変形を防止した撮像素子取付ユニットを提供することである。
【課題を解決するための手段】
【０００５】
上記課題を解決するために、本発明に係る撮像素子取付ユニットは、
撮像素子（３２）が取り付けられる取付板（３４）と、
前記取付板（３４）と対向する互いの面（３４ａ，３６ｂ）が離隔した状態で配置さた回路基板（３６）と、
前記取付板（３４）と前記回路基板（３６）の少なくとも一方に設けられ、前記取付板（３４）と前記回路基板（３６）の他方と対向する面（３４ａ，３６ｂ）からその対向する面（３４ａ，３６ｂ）と反対側の面（３４ｂ，３６ａ）へと貫通する貫通孔（５４）と、
前記取付板（３４）を接地するために、前記取付板（３４）と前記回路基板（３６）とを前記貫通孔（５４）を介して接続する接地用部品（４８）とを有し、
前記接地用部品（４８）は、前記貫通孔（５４）の内壁に対して相対移動自在であることを特徴とする。
【０００６】
また、例えば、前記変形容易部（５１，５０ｂ）は、前記他方と対向する面（３４ａ，３６ｂ）と略垂直方向に変形してもよい。
【０００７】
また、例えば、前記接地用部品（４８）には、前記取付板（３４）に接続された部分と、前記回路基板（３６）に接続された部分との間に、前記接地用部品（４８）の他の部分よりも容易に変形する変形容易部（５１，５０ｂ）が形成されていてもよい。
【０００８】
また、例えば、前記接地用部品（４８）は、前記貫通孔（５４）以外の位置で、前記回路基板（３６）に対して電気的に接続されていてもよい。
【０００９】
また、例えば、前記貫通孔（５４）は前記回路基板（３６）に設けられていてもよい。
【００１０】
また、例えば、前記変形容易部（５１，５０ｂ）はコイル形状であってもよく、あるいは、蛇腹形状であってもよい。
【００１１】
また、例えば、前記回路基板（３６）は、前記撮像素子（３２）を駆動してもよい。
【００１２】
本発明に係るカメラは、上記いずれかの撮像素子取付ユニットと、前記撮像素子取付ユニットに取り付けられた撮像素子（３２）とを有する。
【００１３】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１４】
以下、本発明を、図面に示す実施形態に基づき説明する。
図１は、本発明の第１〜第３実施形態に係る撮像素子取付ユニットを備えるカメラの概略断面図、
図２は、図１のカメラに搭載された撮像部の主に撮像素子側を表した斜視図、
図３は、本発明の第１実施形態に係る撮像素子取付ユニットを有する撮像部の概略図であり、光軸に垂直な方向からの平面図、
図３Ａは、図３に示す撮像部に備えられている接地用部材の拡大斜視図、
図４は、図３に示す撮像部の回路基板側からの平面図、
図４Ａは、図４の要部拡大図であり、回路基板および接地用部材の配置を表した平面図、
図５は、本発明の第２実施形態に係る撮像素子取付ユニットを有する撮像部の概略図であり、光軸に垂直な方向からの平面図、
図５Ａは、図５に示す撮像部に備えられている接地用部材の拡大斜視図、
図６は、図５に示す撮像部の回路基板側からの要部拡大図であり、回路基板および接地用部材の配置を表した平面図、
図７は、本発明の第３実施形態に係る撮像素子取付ユニットを有する撮像部の概略図であり、光軸に垂直な方向からの平面図、
図７Ａは、図７に示す撮像部に備えられている接地用部材の拡大斜視図、
図８は、本発明の他の実施形態に係る撮像素子取付ユニットを有する撮像部の概略図であり、光軸に垂直な方向からの平面図である。
第１実施形態
【００１５】
図１は、本発明の第１〜第３実施形態に係る撮像素子取付ユニットを備えるカメラを示した概略断面図である。カメラボディ４の筐体６には開口部８が形成されており、開口部８の周辺にはレンズマウント１０が形成されている。レンズマウント１０を介して、開口部８を覆うようにレンズ鏡筒１１が設置されており、レンズ鏡筒１１に備えられた撮影レンズ９によって導かれた撮影光が、筐体６内部に導入される。
【００１６】
筐体６内部には、クイックリターンミラー１２，ファインダスクリーン１４、ペンタプリズム１６、接眼レンズ１８、フォーカルプレーンシャッタ２０および撮像部３０等が具備してある。撮影の際には、クイックリターンミラー１２がはねあがることにより撮影光の光路上から退避し、さらに、フォーカルプレーンシャッタ２０を開くことによって、撮影光が撮像部３０の撮像素子３２に導かれる。なお、実施形態では、撮影時の撮影光の進行方向をＺ軸の正方向、クイックリターンミラー１２で反射された撮影光が、クイックリターンミラー１２からファインダスクリーン１４に向かう方向をＸ軸の正方向、Ｘ軸およびＺ軸と直交する方向をＹ方向として説明を行う。
【００１７】
撮像部３０は、撮影光を記録する撮像素子３２と、当該撮像素子３２を筐体６に対して取り付けるための撮像素子取付ユニットとを有する。撮像素子取付ユニットは、撮像素子３２を筐体６に対して機械的に保持するための取付板３４と、撮像素子３２を駆動するための回路基板３６等を有する。図１に示すように、撮像素子３２および回路基板３６は、Ｚ軸方向に取付板３４を挟んで配置されている。すなわち、取付板３４のＺ軸負方向側の表面には撮像素子３２が配置され、取付板３４のＺ軸正方向側の表面には回路基板３６が配置されている。
【００１８】
図２は、図１のカメラに備えられている撮像部３０の斜視図である。矩形平板形状の撮像素子３２は、同じく矩形平板形状であって、撮像素子３２よりやや広い表面を有する取付板３４のＺ軸負方向側の表面中央部付近に備えられている。本実施形態における撮像素子３２は、Ｚ軸負方向側の側面が開口した箱形形状のケース部材３８に収納されている。ケース部材３８は、撮像素子３２の撮像面３２ａに略垂直な４つの側面に設けられた固定ブロック４０によって、取付板３４に対して固定されている。
【００１９】
本実施形態では、撮像素子３２は、エポキシ樹脂等の合成樹脂製のケース部材３８および固定ブロック４０を介して取付板３４に固定されているが、撮像素子３２の取付板３４への固定方法はこれに限定されない。たとえば、撮像素子３２を取付板３４に直接接着してもよく、またねじ等の固定手段を用いて固定してもよい。
【００２０】
取付板３４には、ケース部材３８の側面に沿って複数のスリット４２が設けられている。ケース部材３８の側面からは、撮像素子３２と回路基板３６とを電気的に接続し、回路基板３６によって撮像素子３２を駆動するための複数の接続端子４４が突出している。接続端子４４は、取付板３４に設けられたスリット４２を挿通しており、当該接続端子４４の先端は、取付板３４のＺ軸正方向側の面に対向して設けられている回路基板３６（図３参照）に固定されている。
【００２１】
図２に示すように、取付板３４のＺ軸負方向側の表面における４つの各角部には、当該取付板３４をカメラ本体部４の筐体６に固定するための突起部４６が設けられている。取付板３４は、突起部４６を挿通するビス等の固定部材によって、筐体６に固定される。
【００２２】
取付板３４は導電性を有する材料によって形成されており、例えば、アルミニウム、アルミニウム合金、ステンレス等の金属もしくは合金によって形成されることが好ましい。なお、当該撮像部３０を有するカメラの結像性能を確保するために、撮像素子３２の撮像面３２ａは、カメラ本外部４の筐体６内に、ミクロンオーダーの精度で配置されることを要求される。したがって、取付板３４の突起部４６の形状および取付板３４と撮像素子３２との取付部分等は、少なくともミクロンオーダー以上の精度で管理されることが好ましい。
【００２３】
図４に示すように、取付板３４のＺ軸負方向側には、回路基板３６が配置されている。回路基板３６は、当該回路基板３６の４つの角部に設けられた接地用部材４８によって、取付板３４に対して接続されている。また、図４Ａに示すように、回路基板３６の４つの角部には、接地用部材４８を挿通するための貫通孔５４が設けられている。貫通孔５４は、図３に示すように、回路基板３６のＺ軸負方向側の表面である基板前面３６ｂから、回路基板３６のＺ軸正方向側の表面である基板背面３６ａへと貫通している。なお、図３においては、一部の接続端子４４の図示を省略している。
【００２４】
図３に示すように、回路基板３６のＺ軸正方向側の表面である基板前面３６ｂと、当該基板前面３６ｂと対向する取付板３４のＺ軸正方向側の表面である取付板背面３４ａとは、互いに離隔した状態で配置されている。取付板３４と回路基板３６とを接続している接地用部材４８は、図３Ａに示すように、Ｌ字状の断面を有しており、平板形状の板材を略９０度〜９０度をやや上回る角度に折り曲げた形状を有している。図３Ａに示す折り曲げ角度θ１は、接地用部材４８の剛性等に応じて適当な値とすることができるが、９０度〜１３５度程度とすることが好ましい。なお、接地用部材４８は、板材を折り曲げ加工することによって作製されてもよく、鋳造等によって、あらかじめ折り曲げられた形状に成形されてもよい。
【００２５】
接地用部材４８は、取付板３４に接続される第１先端部５０ａを有する足部５０と、当該足部５０に接続しており回路基板３６に接続される第２先端部５１ａを有する腕部５１とを有している。図３に示すように、接地用部材４８の足部５０は、取付板３４の取付板背面３４ａに対して略垂直な方向（Ｚ軸方向）に沿って配置されている。接地用部材４８の足部５０は、回路基板３６の貫通孔５４を挿通している。さらに足部５０の第１先端部５０ａは、取付板背面３４ａから取付板３４に挿入され、はんだ付け、溶接、または接着等によって取付板３４に固定されている。
【００２６】
接地用部材４８の腕部５１は、図３に示すように、回路基板３６の基板背面３６ａ側に位置している。さらに、腕部５１の第２先端部５１ａは、図４Ａに示すように、回路基板３６の基板背面３６ａに設けられた接地用配線５６に、はんだ付けまたは溶接等によって固定されている。
【００２７】
接地用部材４８は、金、銀、銅等の電気抵抗の低い金属もしくは合金等によって作製されているため、取付板３４と前記回路基板３６の接地用配線５６とは、接地用部材４８を介して電気的に接続されており、導通している。また、取付板３４および接地用配線５６とは、不図示の配線を介して筐体６と導通している。したがって、本実施形態に係る撮像素子取付ユニットでは、回路基板３６に対向して配置されている取付板３４が接地されているため、当該回路基板３６に発生する信号ノイズを抑制することができる。
【００２８】
また、図３に示す腕部５１の厚さ方向の幅Ｗおよび長さＬは、当該腕部５１の剛性が、少なくとも取付板３４の剛性より低くなるように、好ましくは取付板３４および回路基板３６の剛性より十分に低くなるように設計されている。さらに、接地用部材４８は、貫通孔５４の内壁に対して固定されておらず相対移動自在であり、腕部５１の第２先端部５１ａは、貫通孔５４から離れて配置されている接地用配線５６に対して固定されている。したがって、接地用部材４８の腕部５１は、回路基板３６の基板前面３６ｂと垂直方向に変形することができる。
【００２９】
なお、回路基板３６は、接続端子４４を介して、主に撮像素子３２に保持されていてもよく、接地用部材４８を介して、主に取付板３４に保持されていてもよい。
【００３０】
本発明の第１実施形態に係る撮像素子取付ユニットは、回路基板３６の貫通孔５４の内壁に対して相対移動自在である接地用部材４８を介して、取付板３４と回路基板３６とを接続している。したがって、回路基板３６がソリや変形を有している場合でも、当該回路基板３６を取付板３４に接続することによって、取付板３４が変形することを防止している。
【００３１】
ここで、回路基板３６は、例えば基材に樹脂等を含浸させた基板上に、導電体で回路配線を構成したもの等を用いることができる。このような回路基板３６の寸法精度は、金属等を成形して形成される取付板３４の寸法精度より劣る場合があり、回路基板３６は取付板３４に対して相対的に大きなソリや変形を有している場合がある。
【００３２】
ビス等の接地用部品によって、回路基板３６と取付板３４とを非可動的に固定する従来技術では、回路基板３６に取付板３４をビス締めする際に、回路基板３６のソリ等の影響により、取付板３４を変形させる加重が発生する場合があった。また、このような従来技術では、回路基板３６からの接続端子４４を取付板３４にハンダ付けする際に、回路基板３６を変形させると同時に、取付板３４にも変形加重が加わる場合があった。
【００３３】
しかしながら、本発明の第１実施形態に係る撮像素子取付ユニットでは、回路基板３６がソリや変形を有している場合でも、接地用部材４８の腕部５１が変形することによって、当該回路基板３６のソリや変形を吸収し、取付板３４に変形加重が加わることを防止している。
【００３４】
また、本発明の第１実施形態に係る撮像素子取付ユニットでは、回路基板３６の貫通孔５４以外の部分に設けられた接地用配線５６に、接地用部材４８の第２先端部５１ａが固定されている。したがって、貫通孔５３と第２先端部５１ａとの間に配置された腕部５１が、回路基板３６のソリや変形に応じて変形し、取付板３４に変形加重が加わることを防止している。第１実施形態に係る腕部５１は、回路基板３６の基板前面３６ｂに対して略垂直方向に変形することができるため、回路基板３６のソリ等による厚さ方向（基板前面３６ｂに対して垂直な方向）の寸法ずれを吸収し、取付板３４に変形加重が加わることを効果的に防止している。
【００３５】
本実施形態に係る取付板３４と前記回路基板３６の接地用配線５６とは、接地用部材４８を介して電気的に接続されており、導通している。また、接地用配線５６は、不図示の配線を介して筐体６と導通している。したがって、本実施形態に係る撮像素子取付ユニットは、回路基板３６に近接して配置されている取付板３４が接地されており、当該回路基板３６に発生する信号ノイズを抑制することができる。
【００３６】
本実施形態に係る接地用部材４８によれば、取付板３４に変形加重が加わることを防止できるため、取付板３４が変形することによって撮像素子３２の撮像面３２ａの位置精度が劣化することを防止し、撮像面３２ａを高精度に配置することができる。また、撮像素子３２の撮像面３２ａの位置精度が劣化し、当該撮像素子３２を備えるカメラの結像性能に悪影響を与えることを防止できる。
第２実施形態
【００３７】
図５は本発明の第２実施形態に係る撮像素子取付ユニットを有する撮像部３０の光軸垂直方向からの平面図であり、第１実施形態の撮像部３０に関する図３に対応する図である。第２実施形態に係る撮像部３０では、接地用部材４８の形状と、回路基板３６の貫通孔５４および接地用配線５６の形状が異なるほかは、第１実施形態に係る撮像部３０と同様である。
【００３８】
第２実施形態に係る撮像部３０に用いられる接地用部材４８は、図５Ａに示すように、蛇腹部５０ｂおよび第１先端部５０ａを有する足部５０と、当該足部５０に接続しており、一対の第２先端部５２ａを有する腕部５２とを有する。蛇腹部５０ｂでは、接地用部材４８を構成する金属材料が、足部５０の伸張方向（Ｚ軸方向）に交差する方向に折り返された折り返し部５０ｃを有している。蛇腹部５０ｂは、足部５０の伸張方向に加わる加重に対して、折り返し部５０ｃの折り返し角度θ２が変化することによって、接地用部材４８の他の部分より容易に変形することができる。
【００３９】
足部５０の蛇腹部５０ｂの伸張方向（Ｚ軸方向）の引張剛性は、少なくとも取付板３４の剛性より低くなるように、好ましくは取付板３４および回路基板３６の剛性より十分に低くなるように設計されている。
【００４０】
図５に示すように、接地用部材４８の足部５０は、取付板３４の取付板背面３４ａに対して略垂直な方向（Ｚ軸方向）に沿って配置されている。接地用部材４８の足部５０は、回路基板３６の貫通孔５４を挿通している。さらに足部５０の第１先端部５０ａは、取付板背面３４ａから取付板３４に挿入され、はんだ付け、溶接、または接着等によって取付板３４に固定されている。
【００４１】
接地用部材４８の腕部５２は、図５に示すように、回路基板３６の基板背面３６ａ側に位置している。したがって、接地用部材４８の蛇腹部５０ｂは、回路基板３６の基板背面３６ａと、取付板３４の取付板背面３４ａとの間に配置される。腕部５２の第２先端部５２ａは、図６に示すように、回路基板３６の基板背面３６ａに設けられた接地用配線５６に、はんだ付けまたは溶接等によって固定されている。
【００４２】
第２実施形態に係る接地用部材４８も、第１実施形態と同様に、金、銀、銅等の電気抵抗の低い金属もしくは合金等によって作製されているため、取付板３４と回路基板３６の接地用配線５６とは、接地用部材４８を介して電気的に接続されており、導通している。また、接地用配線５６は、不図示の配線を介して筐体６と導通している。したがって、本実施形態に係る撮像素子取付ユニットは、回路基板３６に対向して配置されている取付板３４が接地されているため、当該回路基板３６に発生する信号ノイズを抑制することができる。
【００４３】
また、図５に示す接地用部材４８の蛇腹部５０ｂは、取付板３４の取付板背面３４ａと略垂直方向に変形することができ、接地用部材４８は、貫通孔５４の内壁に対して固定されておらず相対移動自在である。したがって、接地用部材４８の蛇腹部５０ｂは、回路基板３６の基板前面３６ｂと垂直方向に変形することができる。
【００４４】
本発明の第２実施形態に係る撮像素子取付ユニットは、第１実施形態に係る撮像素子取付ユニットについて上述した効果と同様の効果を奏する。例えば、第２実施形態に係る回路基板３６がソリや変形を有している場合でも、接地用部材４８の蛇腹部５０ｂが変形することによって、当該回路基板３６のソリや変形を吸収し、取付板３４に変形加重が加わることを防止できる。
第３実施形態
【００４５】
図７は本発明の第３実施形態に係る撮像素子取付ユニットを有する撮像部３０の光軸垂直方向からの平面図であり、第１実施形態の撮像部３０に関する図３に対応する図である。第３実施形態に係る撮像部３０では、接地用部材４８の形状と、回路基板３６の接地用配線５６の形状が異なるほかは、第１実施形態に係る撮像部３０と同様である。
【００４６】
第３実施形態に係る撮像部３０に用いられる接地用部材４８は、図７Ａに示すように、第１先端部５０ａを有する足部５０と、コイル形状の腕部５１とを有する。コイル形状の腕部５１は、当該腕部５１が形成するらせんの中心軸方向に平行な方向（Ｚ軸方向）に加わる加重によって、腕部５１のらせんの傾斜角が変化するため、接地用部材４８の他の部分より容易に変形することができる。なお、第３実施形態に係る接地用部材４８は、線材を曲げ加工することによって作製されてもよく、鋳造等によって、あらかじめコイル形状に成形されてもよい。
【００４７】
腕部５１のらせんの中心軸方向に平行な方向（Ｚ軸方向）の引張剛性は、少なくとも取付板３４の剛性より低くなるように、好ましくは取付板３４および回路基板３６の剛性より十分に低くなるように設計されている。
【００４８】
図７に示すように、接地用部材４８の足部５０は、取付板３４に対して略垂直方向に伸びるように配置されている。接地用部材４８の足部５０は、回路基板３６の貫通孔５４を挿通している。さらに足部５０の第１先端部５０ａは、取付板背面３４ａから取付板３４に挿入され、はんだ付け、溶接、または接着等によって取付板３４に固定されている。
【００４９】
接地用部材４８の腕部５１は、図７に示すように、回路基板３６の基板背面３６ａ側に位置している。腕部５１の第２先端部５１ａは、回路基板３６の基板背面３６ａに設けられた不図示の接地用配線５６に、はんだ付けまたは溶接等によって固定されている。
【００５０】
第３実施形態に係る接地用部材４８も、第１実施形態と同様に、金、銀、銅等の電気抵抗の低い金属もしくは合金等によって作製されているため、取付板３４と前記回路基板３６の接地用配線５６とは、接地用部材４８を介して電気的に接続されており、導通している。また、取付板３４および接地用配線５６とは、不図示の配線を介して筐体６と導通している。したがって、本実施形態に係る撮像素子取付ユニットは、回路基板３６に対向して配置されている取付板３４が接地されているため、当該回路基板３６に発生する信号ノイズを抑制することができる。
【００５１】
また、図７に示す接地用部材４８の腕部５１は、取付板３４の取付板背面３４ａと略垂直方向に変形することができ、接地用部材４８は、貫通孔５４の内壁に対して固定されておらず相対移動自在である。したがって、接地用部材４８の腕部５１は、回路基板３６の基板前面３６ｂと垂直方向に変形することができる。
【００５２】
本発明の第３実施形態に係る撮像部３０は、第１実施形態に係る撮像部３０について上述した効果と同様の効果を奏する。例えば、第３実施形態に係る回路基板３６がソリや変形を有している場合でも、接地用部材４８の腕部５１が変形することによって、当該回路基板３６のソリや変形を吸収し、取付板３４に変形加重が加わることを防止できる。
その他の実施形態
【００５３】
第１から第３実施形態では、接地用部材４８を相対移動自在に挿通する貫通孔５４は、回路基板３６に形成されているが、図８に示すように、貫通孔５４が取付板３４に形成されていてもよい。この場合、接地用部材４８の腕部５１の第２先端部５１ａが取付板３４の取付板前面３４ｂに固定され、足部５０の第１先端部５０ａが、回路基板３６の接地用配線（不図示）に固定される。
【図面の簡単な説明】
【００５４】
【図１】図１は、本発明の第１〜第３実施形態に係る撮像素子取付ユニットを備えるカメラの概略断面図である。
【図２】図２は、図１のカメラに搭載された撮像部の主に撮像素子側を表した斜視図である。
【図３】図３は、本発明の第１実施形態に係る撮像素子取付ユニットを有する撮像部の概略図であり、光軸に垂直な方向からの平面図である。
【図３Ａ】図３Ａは、図３に示す撮像部に備えられている接地用部材の拡大斜視図である。
【図４】図４は、図３に示す撮像部の回路基板側からの平面図である。
【図４Ａ】図４Ａは、図４の要部拡大図であり、回路基板および接地用部材の配置を表した平面図である。
【図５】図５は、本発明の第２実施形態に係る撮像素子取付ユニットを有する撮像部の概略図であり、光軸に垂直な方向からの平面図である。
【図５Ａ】図５Ａは、図５に示す撮像部に備えられている接地用部材の拡大斜視図である。
【図６】図６は、図５に示す撮像部の回路基板側からの要部拡大図であり、回路基板および接地用部材の配置を表した平面図である。
【図７】図７は、本発明の第３実施形態に係る撮像素子取付ユニットを有する撮像部の概略図であり、光軸に垂直な方向からの平面図である。
【図７Ａ】図７Ａは、図７に示す撮像部に備えられている接地用部材の拡大斜視図である。
【図８】図８は、本発明の他の実施形態に係る撮像素子取付ユニットを有する撮像部の概略図であり、光軸に垂直な方向からの平面図である。
【符号の説明】
【００５５】
６…  筐体
３０…  撮像部
３２…  撮像素子
３４…  取付板
３４ａ…  取付板背面
３４ｂ…  取付板前面
３６…  回路基板
３６ａ…  基板背面
３６ｂ…  基板前面
４８…  接地用部材
５０…  ５０足部
５０ｂ…  蛇腹部
５１，５２…  腕部
５４…  貫通孔
５６…  接地用配線
【図１】
2009194746.tif 000003
【図２】
2009194746.tif 000004
【図３】
2009194746.tif 000005
【図３Ａ】
2009194746.tif 000006
【図４】
2009194746.tif 000007
【図４Ａ】
2009194746.tif 000008
【図５】
2009194746.tif 000009
【図５Ａ】
2009194746.tif 000010
【図６】
2009194746.tif 000011
【図７】
2009194746.tif 000012
【図７Ａ】
2009194746.tif 000013
【図８】
2009194746.tif 000014